(57)【要約】【課題】機器仕様を容易に変更でき、指定された機器仕様に適合させることができるＣＡＴＶ用増幅器を提供することを目的とする。【解決手段】ＣＡＴＶ用増幅器における下り増幅部２０の増幅器２８、３２間に、利得設定用のＡＴＴ設定用補助基板３０をコネクタ３１により着脱可能に設ける。ＡＴＴ設定用補助基板３０は、各種の機器仕様に合わせてアッテネータ値の異なるものを複数用意し、指定の機器仕様に適合するものを装着して下り増幅部２０の利得を設定する。また、利得調整部（ＧＣ）２７を制御するＡＧＣコントロール回路３６とＡＧＣ信号を分岐する方向性結合器３３との間に、ＡＧＣ設定用補助基板３４をコネクタ３５により着脱可能に設ける。ＡＧＣ設定用補助基板３４は、各種機器仕様に合わせてアッテネータ値の異なるものを複数用意し、指定の機器仕様に適合するものを装着して下り増幅部２０の出力値を設定する。【選択図】図１
2011004159.tif 000002
【特許請求の範囲】
【請求項１】
高周波信号を増幅する増幅部と、前記増幅部の出力信号レベルが一定となるように該増幅部の利得を制御するＡＧＣ回路と、前記増幅部に着脱可能に設けられ、仕様に対応した増幅特性設定回路を備えた特性設定用補助基板と、前記ＡＧＣ回路に着脱可能に設けられ、仕様に対応したＡＧＣ動作設定回路を備えたＡＧＣ設定用補助基板とを具備し、
指定された機器仕様に応じて前記特性設定用補助基板及びＡＧＣ設定用補助基板を交換可能に構成したことを特徴とするＣＡＴＶ用増幅器。
【請求項２】
前記特性設定用補助基板及びＡＧＣ設定用補助基板は、それぞれ２種類の機器仕様に対応した設定回路を備えると共に両端部にコネクタを備え、前記各設定回路は前記両端部に設けたコネクタにより選択的に前記増幅部、ＡＧＣ回路に接続できるように構成したことを特徴とする請求項１に記載のＣＡＴＶ用増幅器。
【発明の詳細な説明】
【技術分野】
【０００１】
本発明は、補助基板を用いて複数の機器仕様に対応させることができるＣＡＴＶ用増幅器に関する。
【背景技術】
【０００２】
従来、ＣＡＴＶシステムでは、受信点装置（ヘッドエンド）で受信したテレビ信号を高品位の同軸ケーブルにより一定のスパンでＣＡＴＶ用増幅器（幹線増幅器）を多段にカスケードに接続して加入者端末が集合するエリアまで伝送している。
【０００３】
ＣＡＴＶシステムは、上記したようにＣＡＴＶ用増幅器が多段にカスケード接続され、テレビ信号が上記同軸ケーブルとＣＡＴＶ用増幅器とで減衰・増幅を繰り返しながら信号レベルを維持して長距離伝送される。上記のようなＣＡＴＶシステムの施設においては、ケーブルの減衰特性（周波数の１／２乗に比例した減衰特性）、分岐機器、分配機器の損失、ＣＡＴＶ用増幅器の増幅性能などを勘案し、ＣＡＴＶシステムのレベルダイヤグラム等の設計が行われている。既設の施設において上記機器が製品寿命、故障、伝送帯域の拡張などで改修、若しくは交換が必要になった場合、既存の機器と仕様上、同じ利得、信号出力レベル、スロープ（チルト）特性等が同一のものに交換しなくてはならない。しかし当該ＣＡＴＶシステムが施設されて年数が長期間経過した場合、当該機器自体を修理する、改修用に少量生産する、あるいは保守用に長期に在庫することなどは非常に困難である。
【先行技術文献】
【特許文献】
【０００４】
【特許文献１】特開平１１−２１５０３２号公報
【発明の概要】
【発明が解決しようとする課題】
【０００５】
上記のように既存ＣＡＴＶ用増幅器が長期の使用によって性能が劣化し、あるいは故障等によって改修あるいは交換の必要が生じた場合、改修に供される機器はそれまで使用していた既存の機器と性能、仕様が同一に調整されている必要がある。このため改修に供されるＣＡＴＶ用増幅器は、既存のＣＡＴＶ施設に対応して夫々のＣＡＴＶのシステム仕様に合致する複数の機種を用意する必要があった。
【０００６】
従来、ＣＡＴＶ用増幅器では、伝送ケーブルの長さ（ケーブルスパン）が設定長さより短くなった、幹線途中に介在する分岐機器・分配器記の損失、伝送路の周波数特性の偏差などに対処するために、信号入力部にＢＯＮ（疑似線路）・ＥＱ（等価回路）・ＡＴＴ（減衰器）等の補正回路を設けて増幅回路の入力信号が、所定の信号レベルで且つ、周波数に対して平坦な特性となるように補正するようにしている。この補正に際して、メイン基板上にコネクタを介してＢＯＮ・ＥＱ・ＡＴＴ等の補正回路を設けたカード式の補助基板を着脱可能に設け、当該補助基板を差し替えて補正することが行われている（例えば、特許文献１参照。）。しかし、ＣＡＴＶ用増幅器に設けられた増幅回路の利得、出力の信号レベルの特性（ＡＧＣの特性）については機器所定の仕様に予め設定されており自在に変更することはない。既存のＣＡＴＶ施設の改修のために現用のＣＡＴＶ用増幅器を用いようとすると、増幅回路の利得、出力の信号レベルの特性（ＡＧＣの特性）などを、当該施設の特性に合致するように特殊仕様品として設計、調整したものを限定的に生産する必要があった。この結果、改修に供されるＣＡＴＶ用増幅器は、生産数量が少ないため生産性が悪く、仕様が限定的なため管理が繁雑である等の問題を生じるものであった。
【０００７】
本発明は上記の課題を解決するためになされたもので、単一機種により、複数の機器仕様に対応させることができると共に、設定した仕様を後から容易に変更することが可能なＣＡＴＶ用増幅器を提供することを目的とする。
【課題を解決するための手段】
【０００８】
第１の発明に係るＣＡＴＶ用増幅器は、高周波信号を増幅する増幅部と、前記増幅部の出力信号レベルが一定となるように該増幅部の利得を制御するＡＧＣ回路と、前記増幅部に着脱可能に設けられ、仕様に対応した増幅特性設定回路を備えた特性設定用補助基板と、前記ＡＧＣ回路に着脱可能に設けられ、仕様に対応したＡＧＣ動作設定回路を備えたＡＧＣ設定用補助基板とを具備し、指定された機器仕様に応じて前記特性設定用補助基板及びＡＧＣ設定用補助基板を交換可能に構成したことを特徴とする。
【０００９】
第２の発明は、前記第１の発明に係るＣＡＴＶ用増幅器において、前記特性設定用補助基板及びＡＧＣ設定用補助基板は、それぞれ２種類の機器仕様に対応した設定回路を備えると共に両端部にコネクタを備え、前記各設定回路は前記両端部に設けたコネクタにより選択的に前記増幅部、ＡＧＣ回路に接続できるように構成したことを特徴とする。
【発明の効果】
【００１０】
本発明によれば、特性設定用補助基板及びＡＧＣ設定用補助基板を交換するだけで、任意の機器仕様に対応させることができ、また、一旦設定した仕様を後からでも容易に変更することができる。従って、１機種の増幅器を製作するだけで複数の機器仕様に対応させることができ、増幅器を多機種用意する必要がなく、生産性を向上し得ると共に製品の管理がきわめて容易となる。
【００１１】
また、特性設定用補助基板及びＡＧＣ設定用補助基板は、それぞれ２種類の機器仕様に対応した設定回路を備えると共に両端部にコネクタを備えることにより、補助基板の上下を反転させ、反対側のコネクタを本体側のコネクタに装着するだけで機器仕様を変更することができる。このため増幅器を実際に設置する場所において仕様変更が生じた場合でも、きわめて容易に機器仕様を変更でき、作業性を向上することができる。
【図面の簡単な説明】
【００１２】
【図１】本発明の実施例１に係るＣＡＴＶ用増幅器の回路構成を示すブロック図である。
【図２】同実施例１に係るＣＡＴＶ用増幅器の代替仕様の設定例を示す図である。
【図３】同実施例１に係るＣＡＴＶ用増幅器の代替仕様の他の設定例を示す図である。
【図４】同実施例１におけるＡＴＴ設定用補助基板及びＡＧＣ設定用補助基板を機器本体に装着する場合の具体的な構成例を示す斜視図である。
【図５】（ａ）は本発明の実施例２に係るＡＴＴ設定用補助基板の構成例を示す正面図、（ｂ）は同ＡＧＣ設定用補助基板の構成例を示す正面図である。
【図６】同実施例２におけるＡＴＴ設定用補助基板の機器本体への装着例を示す斜視図である。
【発明を実施するための形態】
【００１３】
以下、本発明の実施の形態について図面を参照して詳細に説明する。
【実施例１】
【００１４】
図１は、本発明をＣＡＴＶ双方向増幅器に実施した場合の回路構成例を示すブロック図である。
【００１５】
図１において、１０は下り入力／上り出力端子で、この下り入力／上り出力端子１０には、ＣＡＴＶシステムのヘッドエンド装置（図示せず）から送られてくる例えば７０〜７７０ＭＨｚのＣＡＴＶ下り信号が入力される。下り入力／上り出力端子１０に入力された下り信号は、ＰＳＦ（パワーソースフィルタ）１１及びモニタ信号分岐用の方向性結合器１２を介して方向性フィルタ１３に入力される。
【００１６】
ＰＳＦ１１は、動作電源が下り信号に重畳して供給される場合に、下り信号から動作電源を分離して電源回路（図示せず）へ供給する。
【００１７】
モニタ信号分岐用の方向性結合器１２は、詳細を後述する上り増幅部４０から方向性フィルタ１３を介して送られてくる例えば１０〜５５ＭＨｚの上り信号の一部（例えば−２０ｄＢ）を分離して上り出力モニタ端子１４へ出力する。
【００１８】
方向性フィルタ１３は、下り信号と上り信号を分波するためのフィルタであり、高域通過端子、低域通過端子及び共通端子を有し、共通端子と高域通過端子との間で下り信号を通過させるハイパスフィルタ（ＨＰＦ）と、低域通過端子と共通端子との間で上り信号を通過させるローパスフィルタ（ＬＰＦ）とを有している。
【００１９】
上記方向性フィルタ１３のハイパスフィルタ（ＨＰＦ）から出力される下り信号は、下り増幅部２０へ送られる。この下り増幅部２０は、周波数偏差を補正する等化器（ＥＱ：イコライザ）２２、信号減衰量を設定するアッテネータ（ＡＴＴ）２３、モニタ信号を分岐する方向性結合器２４、下り信号を増幅する増幅器２６、利得調整部（ＧＣ）２７、増幅器２８、ケーブルの減衰特性に対応して周波数特性（チルト特性）を設定するスロープ調整器（SLOPE）２９、下り増幅部２０の利得等を調整するためのＡＴＴ設定用補助基板（ＡＴＴ−Ｐａｄ）３０、増幅器３２、ＡＧＣ用信号を分岐する方向性結合器３３が直列に設けられると共に、方向性結合器３３により分岐されたＡＧＣ用信号がＡＧＣ設定用補助基板（ＡＧＣ−Ｐａｄ）３４、ＡＧＣコントロール回路３６及び切替スイッチ３７を介して利得調整部（ＧＣ）２７の制御端子に入力される。また、下り増幅部２０には、手動操作によりＡＧＣのレベル調整を行うＭＧＣコントロール部３８が設けられ、切替スイッチ３７を介して利得調整部（ＧＣ）２７の制御端子に接続される。切替スイッチ３７は、ＡＧＣコントロール回路３６とＭＧＣコントロール部３８とを切替えて利得調整部（ＧＣ）２７の制御端子に接続する。
【００２０】
上記モニタ信号分岐用の方向性結合器２４は、下り信号の一部（例えば−２０ｄＢ）を分岐して下り入力モニタ端子２５へ出力する。
【００２１】
利得調整部（ＧＣ）２７は、例えばピンダイオードによりアッテネータを構成しており、ＡＧＣコントロール回路３６あるいはＭＧＣコントロール部３８からの制御信号によって減衰量が調整される。
【００２２】
ＡＴＴ設定用補助基板３０は、下り増幅部２０の増幅特性例えば利得を設定するためのアッテネータを備え、機器本体側のコネクタ３１に対して着脱可能に設けられる。上記ＡＴＴ設定用補助基板３０は、予め複数の機器仕様に合わせてアッテネータ（ＡＴＴ）の減衰量が異なるものを複数種用意する。
【００２３】
ＡＧＣ設定用補助基板３４は、下り増幅部２０の出力レベルを設定するためのアッテネータを備え、機器本体側のコネクタ３５に対して着脱可能に設けられる。上記ＡＧＣ設定用補助基板３４は、予め複数の機器仕様に合わせてアッテネータ（ＡＴＴ）の減衰量が異なるものを複数種用意する。
【００２４】
上記下り増幅部２０で増幅された下り信号、すなわち方向性結合器３３を介して出力される下り信号は、下り信号と上り信号を分波する方向性フィルタ１５に入力される。この方向性フィルタ１５は、高域通過端子、低域通過端子及び共通端子を有し、高域通過端子と共通端子との間で下り信号を通過させるハイパスフィルタ（ＨＰＦ）と、共通端子と低域通過端子との間で上り信号を通過させるローパスフィルタ（ＬＰＦ）とを有している。
【００２５】
方向性フィルタ１５の高域通過端子に入力された下り増幅部２０の出力信号は、ハイパスフィルタ（ＨＰＦ）を通って共通端子から出力され、更にモニタ信号分岐用の方向性結合器１６、ＰＳＦ（パワーソースフィルタ）１７及び下り出力／上り入力端子１８を介してＣＡＴＶ加入者宅のテレビ受像機（図示せず）等へ送られる。上記モニタ信号分岐用の方向性結合器１６は、下り信号の一部を分岐し（例えば−２０ｄＢ）、下り出力モニタ端子１９へ出力する。
【００２６】
また、上記下り出力／上り入力端子１８には、ＣＡＴＶ加入者宅の端末装置例えばパーソナルコンピュータから送られてくるインターネット等によるＣＡＴＶ上り信号（１０〜５５ＭＨｚ）が入力され、ＰＳＦ１７、モニタ信号分岐用の方向性結合器１６、方向性フィルタ１５のローパスフィルタ（ＬＰＦ）を介して上り増幅部４０へ送られる。
【００２７】
ＰＳＦ１７は、動作電源が上り信号に重畳して供給される場合に、上り信号から動作電源を分離して分離して電源回路（図示せず）へ供給する。
【００２８】
上り増幅部４０は、増幅切替器４１、モニタ信号を分岐する方向性結合器４２、上り信号を増幅する増幅器４４、利得調整部（ＧＣ）４５、周波数特性を設定するスロープ調整器（SLOPE）４６、上り信号を選択して通過させるローパスフィルタ（ＬＰＦ）４７、上り信号を増幅する増幅器４８、信号減衰量を設定するアッテネータ４９からなり、このアッテネータ４９を介して出力される上り信号が方向性フィルタ１３のローパスフィルタ（ＬＰＦ）を介して取出され、モニタ信号分岐用の方向性結合器１２、ＰＳＦ１１、下り入力／上り出力端子１０を介して伝送線路へ出力され、ヘッドエンド装置へ送られる。
【００２９】
上記増幅切替器４１は、例えばオート／パス／−１０ｄｂ／カットの切替端子を備えており、「パス」は信号線路をオン状態に保持して上り信号をそのまま通過させる切替端子、「−１０ｄＢ」は上り信号を−１０ｄＢ減衰させる切替端子、「カット」は上り信号をカットする切替端子である。また、「オート」の切替端子は、「パス／−１０ｄｂ／カット」の機能を遠隔操作により設定可能にするためのものである。
【００３０】
モニタ信号分岐用の方向性結合器４２は、上り信号の一部（例えば−２０ｄＢ）を分岐して上り入力モニタ端子４３へ出力する。
【００３１】
次に上記のように構成されたＣＡＴＶ用増幅器の下り増幅部２０において、ＡＴＴ設定用補助基板３０による利得設定及びＡＧＣ設定用補助基板３４による出力レベルの設定について説明する。ＡＴＴ設定用補助基板３０及びＡＧＣ設定用補助基板３４を用いて下り増幅部２０の利得及び出力レベルを設定する場合は、切替スイッチ３７をＡＧＣコントロール回路３６側に切替えてＡＧＣ制御が行われる状態にする。
【００３２】
ＣＡＴＶ用増幅器の下り入力／上り出力端子１０に入力された下り信号は、方向性フィルタ１３に入力され、ハイパスフィルタ（ＨＰＦ）で選択されて下り増幅部２０に入力される。下り増幅部２０に入力された下り信号は、等化器（ＥＱ）２２で周波数偏差が補正され、アッテネータ（ＡＴＴ）２３で信号レベルが調整された後、増幅器２６で増幅されて利得調整部（ＧＣ）２７に入力される。この利得調整部（ＧＣ）２７は、ＡＧＣコントロール回路３６からの制御信号によって、例えばピンダイオードからなるアッテネータの減衰量が制御される。
【００３３】
上記利得調整部（ＧＣ）２７でレベル調整された下り信号は、増幅器２８で増幅された後、スロープ調整器（SLOPE）２９で周波数特性が設定されると共にＡＴＴ設定用補助基板３０に設定されたアッテネータで信号レベルが調整され、その後、増幅器３２で増幅される。この増幅器３２で増幅された下り信号は、方向性結合器３３によりＡＧＣ設定用補助基板３４側に分岐される。このＡＧＣ設定用補助基板３４は、上記方向性結合器３３で分岐されたＡＧＣ用信号のレベルを予め設定されたアッテネータにより調整してＡＧＣコントロール回路３６に入力する。このＡＧＣコントロール回路３６は、ＡＧＣ設定用補助基板３４のアッテネータでレベル調整された信号を検波ダイオードで検波して電圧に変換し、その検波電圧に応じて利得調整部（ＧＣ）２７を制御し、方向性結合器３３から方向性フィルタ１５へ出力される下り増幅部２０の出力信号が一定レベルに保持されるように動作する。
【００３４】
そして、例えば上記下り増幅部２０の利得が最大で３２ｄＢあり、客先仕様における下り増幅部２０の利得が２８ｄＢである場合、ＡＴＴ設定用補助基板３０のアッテネータとして「４ｄＢ」のものを使用する。このとき下り増幅部２０の利得は、最大利得３２ｄＢからＡＴＴ設定用補助基板３０の減衰量「４ｄＢ」を減算した値、すなわち、
３２ｄＢ−４ｄＢ＝２８ｄＢ
となり、下り増幅部２０の利得を客先仕様「２８ｄＢ」に設定することができる。
【００３５】
上記のようにＡＴＴ設定用補助基板３０を交換することにより、増幅器の利得を任意の機器仕様に合わせて設定することができる。
【００３６】
次に、下り増幅部２０の出力レベルをＡＧＣ設定用補助基板３４により設定する場合について説明する。
【００３７】
下り増幅部２０の初期条件（例えば周波数７７０ＭＨｚにおける値）が、
・入力レベル：７４ｄＢμＶ
・出力レベル：１０６ｄＢμＶ
・ＡＴＴ設定用補助基板３０の減衰量：０ｄＢ（利得３２ｄＢのため）
・ＡＧＣ設定用補助基板３４の減衰量：１．５ｄＢ（このときの出力１０６ｄＢμＶ一定）
である場合において、運用レベルを３ｄＢμＶ上げた場合（入出力レベル３ｄＢμ大きくなる）を考える。
【００３８】
運用レベルが３ｄＢ上がると、ＡＧＣコントロール回路３６における検波ダイオードの入力レベルも３ｄＢ大きくなる。これにより利得調整部（ＧＣ）２７は、大きくなった３ｄＢを下げようとする方向に作用する。
【００３９】
このことから、ＡＧＣ設定用補助基板３４のアッテネータを３ｄＢ大きくし、ＡＧＣコントロール回路３６における検波ダイオードの入力レベルが運用レベルを上げる前と同じレベルになるようにする。このようにＡＧＣ設定用補助基板３４のアッテネータを３ｄＢ大きくしても利得調整部（ＧＣ）２７による減衰量は変わらないため、下り増幅部２０の出力が１０９ｄＢμＶ一定となるようにＡＧＣが作用する。
【００４０】
上記のようにＡＴＴ設定用補助基板３０の設定を代えることで増幅器の利得を任意に設定でき、また、ＡＧＣ設定用補助基板３４の設定を代えることで増幅器の出力値を任意に設定することができる。
【００４１】
図２はＡ社製増幅器の代替仕様の設定例を示したもので、（ａ）は通常運用時の条件を示し、（ｂ）は多段接続運用時（−２ｄＢ運用）の条件を示している。
【００４２】
このＡ社製増幅器の通常運用時の条件（例えば周波数７７０ＭＨｚにおける値）は、
・入力レベル：７９ｄＢμＶ
・出力レベル：１０７ｄＢμＶ
・ＡＴＴ設定用補助基板３０の減衰量：４ｄＢ（利得２８ｄＢのため）
・ＡＧＣ設定用補助基板３４の減衰量：２．５ｄＢ（このときの出力１０７ｄＢμＶ一定）
である。
【００４３】
また、Ａ社製増幅器の多段接続運用時（−２ｄＢ運用）の条件（例えば周波数７７０ＭＨｚにおける値）は、
・入力レベル：７７ｄＢμＶ
・出力レベル：１０５ｄＢμＶ
・ＡＴＴ設定用補助基板３０の減衰量：４ｄＢ（利得２８ｄＢのため）
・ＡＧＣ設定用補助基板３４の減衰量：０．５ｄＢ（このときの出力１０５ｄＢμＶ一定）
である。
【００４４】
図３はＢ社製増幅器の代替仕様の設定例を示したもので、（ａ）は通常運用時の条件を示し、（ｂ）は多段接続運用時（−３ｄＢ運用）の条件を示している。
【００４５】
このＢ社製増幅器の通常運用時の条件（例えば周波数７７０ＭＨｚにおける値）は、
・入力レベル：７７ｄＢμＶ
・出力レベル：１０９ｄＢμＶ
・ＡＴＴ設定用補助基板３０の減衰量：０ｄＢ（利得３２ｄＢのため）
・ＡＧＣ設定用補助基板３４の減衰量：４．５ｄＢ（このときの出力１０９ｄＢμＶ一定）
である。
【００４６】
また、Ｂ社製増幅器の多段接続運用時（−３ｄＢ運用）の条件（例えば周波数７７０ＭＨｚにおける値）は、
・入力レベル：７４ｄＢμＶ
・出力レベル：１０６ｄＢμＶ
・ＡＴＴ設定用補助基板３０の減衰量：０ｄＢ（利得３２ｄＢのため）
・ＡＧＣ設定用補助基板３４の減衰量：１．５ｄＢ（このときの出力１０６ｄＢμＶ一定）
である。
【００４７】
上記のように２社の増幅器仕様に対し、ＡＴＴ設定用補助基板３０、ＡＧＣ設定用補助基板３４の設定を変更するのみで対応が可能である。
【００４８】
なお、上記実施例１では、ＡＴＴ設定用補助基板３０は、利得設定用のアッテネータを設けた場合について説明したが、更に周波数特性等の増幅特性を補正する増幅特性設定回路を設けてもよい。
【００４９】
図４は上記ＡＴＴ設定用補助基板３０及びＡＧＣ設定用補助基板３４を機器本体に装着する場合の具体的な構成例を示す斜視図である。
【００５０】
５１はＣＡＴＶ用増幅器のケース本体で、上面開口部を覆う蓋体を備えているが、図４では蓋体を省略して示している。ケース本体５１は、金属を用いて構成され、内部に回路基板（メイン基板）５２がネジ止めにより固着される。回路基板５２には、所定のプリント配線が施されると共に電子部品が装着されて、図１に示した増幅器が構成される。この場合、回路基板５２には、図１に示したＡＴＴ設定用補助基板３０を装着するためのコネクタ３１が設けられると共に、ＡＧＣ設定用補助基板３４を装着するためのコネクタ３５が設けられる。
【００５１】
ＡＴＴ設定用補助基板３０には、所定仕様のアッテネータが設けられると共に下部先端にコネクタ３０１が装着され、該アッテネータとコネクタ３０１との間が電気的に接続される。
【００５２】
また、ＡＧＣ設定用補助基板３４には、所定仕様のアッテネータが設けられると共に下部先端にコネクタ３４１が装着され、該アッテネータとコネクタ３４１との間が電気的に接続される。
【００５３】
そして、ＡＴＴ設定用補助基板３０は、コネクタ３０１を回路基板５２に設けたコネクタ３１に装着し、増幅器回路と接続する。
【００５４】
また、ＡＧＣ設定用補助基板３４は、コネクタ３４１を回路基板５２に設けたコネクタ３５に装着し、増幅器回路と接続する。
【００５５】
上記のようにＡＴＴ設定用補助基板３０及びＡＧＣ設定用補助基板３４は、回路基板５２に対してコネクタにより着脱可能に設けることにより、機器仕様に合わせて任意に交換することができる。
【実施例２】
【００５６】
次に本発明の実施例２に係るＣＡＴＶ用増幅器について説明する。
【００５７】
上記実施例１ではＡＴＴ設定用補助基板３０及びＡＧＣ設定用補助基板３４にそれぞれ１つの機器仕様のアッテネータを設けたのに対し、この実施例２ではＡＴＴ設定用補助基板３０Ａ及びＡＧＣ設定用補助基板３４Ａにそれぞれ２種類の機器仕様のアッテネータを設けている。
【００５８】
図５（ａ）は実施例２に係るＡＴＴ設定用補助基板３０Ａの構成例を示す正面図、図５（ｂ）はＡＧＣ設定用補助基板３４Ａの構成例を示す正面図である。
【００５９】
ＡＴＴ設定用補助基板３０Ａは、図５（ａ）に示すように長方形に形成され、下端部にコネクタ３０１、上端部にコネクタ３０２が設けられる。ＡＴＴ設定用補助基板３０Ａには、下部側に例えばＡ社仕様のアッテネータを設け、コネクタ３０１に接続してタイプＡの補助基板を構成すると共に、上部側に例えばＣ社仕様のアッテネータを設け、コネクタ３０２に接続してタイプＣの補助基板を構成している。
【００６０】
また、ＡＴＴ設定用補助基板３０Ａの前面には、上部側にタイプＡの文字（ＡＴＴ  Ｔｙｐｅ−Ａ）３０３及び補助基板の挿入方向を示す矢印３０４を印刷し、下部側にタイプＣの文字（ＡＴＴ  Ｔｙｐｅ−Ｃ）３０５及び補助基板の挿入方向を示す矢印３０６を印刷する。この場合、タイプＣのアッテネータ形成側にタイプＡの文字３０３を印刷すると共に、タイプＡのアッテネータ形成側にタイプＣの文字３０５を印刷し、図６（ａ）、（ｂ）に示すようにＡＴＴ設定用補助基板３０Ａを回路基板５２側のコネクタ３１に装着した際に、どちらの仕様のアッテネータが増幅器回路に接続されているかを確認できるようにしている。また、タイプＡの文字３０３とタイプＣの文字３０５とは、上下を反転して印刷し、ＡＴＴ設定用補助基板３０を機器本体に装着した際に上側に位置する文字が正常に読めるようにする。すなわち、ＡＴＴ設定用補助基板３０Ａに設けたタイプＡ側のコネクタ３０１を回路基板５２のコネクタ３１に装着した場合には、図６（ａ）に示すように回路基板５２より上方に位置しているタイプＡの文字（ＡＴＴ  Ｔｙｐｅ−Ａ）３０３が正常に読めるように、また、ＡＴＴ設定用補助基板３０Ａを逆にしてタイプＣ側のコネクタ３０２を回路基板５２のコネクタ３１に装着した場合には、図６（ｂ）に示すように回路基板５２より上方に位置しているタイプＣの文字（ＡＴＴ  Ｔｙｐｅ−Ｃ）３０５が正常に読めるようにする。
【００６１】
また、ＡＧＣ設定用補助基板３４Ａは、ＡＴＴ設定用補助基板３０Ａと同様の構成を有し、図５（ｂ）に示すように長方形に形成され、下端部にコネクタ３４１、上端部にコネクタ３４２が設けられる。ＡＧＣ設定用補助基板３４Ａには、下部側に例えばＡ社仕様のアッテネータを設け、コネクタ３４１に接続してタイプＡの補助基板を構成すると共に、上部側に例えばＣ社仕様のアッテネータを設け、コネクタ３４２に接続してタイプＣの補助基板を構成している。また、ＡＧＣ設定用補助基板３４Ａの前面には、上部側にタイプＡの文字（ＡＧＣ  Ｔｙｐｅ−Ａ）３４３及び基板の挿入方向を示す矢印３４４を印刷し、下部側にタイプＣの文字（ＡＧＣ  Ｔｙｐｅ−Ｃ）３４５及び基板の挿入方向を示す矢印３４６を印刷する。この場合、タイプＣのアッテネータ形成側にタイプＡの文字３４３を印刷すると共に、タイプＡのアッテネータ形成側にタイプＣの文字３４５を印刷し、ＡＧＣ設定用補助基板３４Ａを機器本体側のコネクタ３５に装着した際に、どちらの仕様のアッテネータが回路に接続されているかを確認できるようにしている。
【００６２】
上記のようにＡＴＴ設定用補助基板３０Ａ及びＡＧＣ設定用補助基板３４Ａにそれぞれ２種類の機器仕様に対応したアッテネータ及びコネクタを設けることにより、１つの補助基板で２機種の仕様に対応させることができる。
【００６３】
また、ＡＴＴ設定用補助基板３０Ａ及びＡＧＣ設定用補助基板３４Ａの上下両端部にコネクタを設けているので、ＡＴＴ設定用補助基板３０Ａ及びＡＧＣ設定用補助基板３４Ａの上下を反転させ、反対側のコネクタを機器本体のコネクタに装着するだけで機器仕様を変更することができる。このため増幅器を実際に設置する場所において、機器仕様を変更する必要が生じた場合、ＡＴＴ設定用補助基板３０及びＡＧＣ設定用補助基板３４を上下逆にして装着し直すことで、きわめて容易に機器仕様を変更でき、作業性を向上することができる。
【００６４】
なお、本発明は、上記実施の形態そのままに限定されるものではなく、実施段階ではその要旨を逸脱しない範囲で構成要素を変形して具体化できるものである。
【符号の説明】
【００６５】
１０…下り入力／上り出力端子、１１…ＰＳＦ、１２…モニタ信号分岐用の方向性結合器、１３…方向性フィルタ、１４…上り出力モニタ端子、１５…方向性フィルタ、１６…モニタ信号分岐用の方向性結合器、１７…ＰＳＦ、１８…下り出力／上り入力端子、１９…下り出力モニタ端子、２０…下り増幅部、２２…等化器（ＥＱ）、２３…アッテネータ（ＡＴＴ）、２４…モニタ信号分岐用の方向性結合器、２５…下り入力モニタ端子、２６、２８、３２…増幅器、２７…利得調整部（ＧＣ）、２９…スロープ調整器（ＳＬＯＰＥ）、３０、３０Ａ…ＡＴＴ設定用補助基板、３１…ＡＴＴ設定用補助基板装着用のコネクタ、３３…ＡＧＣ信号分岐用の方向性結合器、３４、３４Ａ…ＡＧＣ設定用補助基板、３５…ＡＧＣ設定用補助基板装着用のコネクタ、３６…ＡＧＣコントロール回路、３７…切替スイッチ、３８…ＭＧＣコントロール部、４０…上り増幅部、４１…増幅切替器、４２…方向性結合器、４３…上り入力モニタ端子、４４、４８…増幅器、４５…利得調整部（ＧＣ）、４６…スロープ調整器（ＳＬＯＰＥ）、４７…ローパスフィルタ（ＬＰＦ）、４９…アッテネータ（ＡＴＴ）、５１…ケース本体、５２…回路基板、３０１、３０２…コネクタ、３０３、３０５…印刷文字、３０４、３０６…補助基板の挿入方向を示す矢印、３４１、３４２…コネクタ、３４３、３４５…印刷文字、３４４、３４６…補助基板の挿入方向を示す矢印。
【図１】
2011004159.tif 000003
【図２】
2011004159.tif 000004
【図３】
2011004159.tif 000005
【図４】
2011004159.tif 000006
【図５】
2011004159.tif 000007
【図６】
2011004159.tif 000008